(57)【要約】【課題】本発明は、受信装置の受信品質を向上させることを目的とする。【解決手段】本発明の受信装置１２は、絶縁層１３と、この絶縁層１３の上面に配置されたグランド板１４と、絶縁層１３の側面又は底面に配置された入力端子１７と、この入力端子１７に接続されると共に絶縁層１３の内部に配置されたフィルタ１９と、このフィルタ１９に接続されると共に絶縁層１３の内部に配置された受信回路２１とを有する。この構成により、本発明の受信装置１２において、フィルタ１９と、フィルタ１９の出力信号が通過する信号線２０とがグランド板１４によって覆われるので、ノイズが除去されたフィルタ１９の出力信号に受信装置１２の外部からのノイズが混入することを抑制することができ、その結果、受信装置１２の受信品質を高めることができる。【選択図】図１
2008172557.tif 000002
【特許請求の範囲】
【請求項１】
絶縁層と、
この絶縁層の上に配置されたグランド板と、
前記絶縁層の側面又は底面に配置された入力端子と、
この入力端子に接続されると共に前記絶縁層の内部に配置されたフィルタと、
このフィルタに接続されると共に前記絶縁層の内部に配置された受信回路とを有する受信装置。
【請求項２】
前記入力端子は、前記絶縁層の底面に配置された請求項１に記載の受信装置。
【請求項３】
前記フィルタは、表面弾性波フィルタである請求項１に記載の受信装置。
【請求項４】
前記絶縁層の内部であって前記受信回路に重畳されると共に前記受信回路の出力側に接続された復調回路を有し、
重畳された前記受信回路及び前記復調回路と、前記フィルタとは並べて配置されると共に、
重畳された前記受信回路及び前記復調回路の上下方向の厚さは、前記フィルタの上下方向の厚さ以下である請求項１に記載の受信装置。
【請求項５】
前記受信回路と前記復調回路との間に配置された第２グランド板を更に有する請求項１に記載の受信装置。
【請求項６】
絶縁層と、
この絶縁層の上に配置されたグランド板と、
前記絶縁層の側面又は底面に配置された入力端子と、
この入力端子に接続されると共に前記絶縁層の内部に配置されたフィルタと、
このフィルタに接続されると共に前記絶縁層の内部に配置された受信回路とを有する受信装置を搭載した電子機器。
【発明の詳細な説明】
【技術分野】
【０００１】
本発明は、信号を受信する受信装置と、これを用いた電子機器に関するものである。
【背景技術】
【０００２】
以下、従来の受信装置について図３を用いて説明する。図３は、従来の受信装置の概略断面図である。図３において、従来の受信装置１は、絶縁層２と、この絶縁層２の上に配置されたグランド板３とを有する。また、絶縁層２は、絶縁基板からなる第１絶縁層４と、第１絶縁層４の上に配置された第２絶縁層５からなる。そして、従来の受信装置１は、第１絶縁層４の側面に配置された入力端子６と、この入力端子６に接続されると共に絶縁層２の内部に配置された受信回路７とを有する。即ち、この受信回路７は、第１絶縁層４の上に実装され、第２絶縁層５に覆われる様に配置されている。また、この従来の受信装置１は、マザー基板８の上に配置され、このマザー基板８の上にはアンテナ端子９と、このアンテナ端子９に接続された表面弾性波フィルタからなるフィルタ１０と、このフィルタ１０と受信装置１の入力端子６との間に接続された信号線１１が設けられている。
【０００３】
上記従来の受信装置１において、受信回路７を覆うグランド板３によって、受信回路７にノイズが混入されることを抑制していた。
【０００４】
なお、この出願の発明に関連する先行技術文献情報としては、例えば、特許文献１が知られている。
【特許文献１】実開平５−５３２６９号公報
【発明の開示】
【発明が解決しようとする課題】
【０００５】
従来の受信装置１において、フィルタ１０と、フィルタ１０の出力信号が通過する信号線１１とがマザー基板８上に露出していた。このため、ノイズが除去されたフィルタ１０の出力信号に受信装置１の外部からのノイズが混入し易くなり、その結果、受信装置１の受信品質が劣化するという問題があった。
【０００６】
そこで、本発明は、受信装置の受信品質を向上させることを目的とする。
【課題を解決するための手段】
【０００７】
この目的を達成するために、本発明の受信装置は、絶縁層と、この絶縁層の上面に配置されたグランド板と、絶縁層の側面又は底面に配置された入力端子と、この入力端子に接続されると共に絶縁層の内部に配置されたフィルタと、このフィルタに接続されると共に絶縁層の内部に配置された受信回路とを有する。
【発明の効果】
【０００８】
上記構成により、本発明の受信装置において、フィルタと、フィルタの出力信号が通過する信号線とがグランド板によって覆われるので、ノイズが除去されたフィルタの出力信号に受信装置の外部からのノイズが混入することを抑制することができ、その結果、受信装置の受信品質を高めることができる。
【発明を実施するための最良の形態】
【０００９】
（実施の形態１）
以下、本発明の実施の形態１について、図１を用いて説明する。図１は、本発明の実施の形態１における受信装置の概略断面図である。図１において、受信装置１２は、絶縁層１３と、この絶縁層１３の上に配置されたグランド板１４とを有する。絶縁層１３は、第１絶縁層１５と、この第１絶縁層１５の上に配置された第２絶縁層１６とからなる。そして、受信装置１２は、第１絶縁層１５の底面に配置されると共に例えばデジタル放送信号が入力される入力端子１７と、この入力端子１７にビア１８を介して接続されると共に絶縁層１３の内部に配置されたフィルタ１９と、このフィルタ１９に信号線２０を介して接続された受信回路２１と、この受信回路２１にビア２２を介して接続された出力端子２３とを有する。これらフィルタ１９と受信回路２１とは、第１絶縁層１５の上に実装され、第２絶縁層１６に覆われる様に配置されている。尚、受信回路２１とフィルタ１９とは並べて配置されている。
【００１０】
また、この受信装置１２は、マザー基板（図示せず）の上に実装され、このマザー基板に設けられたアンテナ端子（図示せず）からの受信信号が受信装置１２の入力端子１７に供給される。
【００１１】
尚、この受信装置１２を搭載した電子機器（図示せず）は、出力端子２３に接続された信号処理回路（図示せず）と、この信号処理回路に接続された表示部（図示せず）を有する。
【００１２】
第１絶縁層１５は、例えば、樹脂材料やセラミック材料またはコンポジット材料からなり、単層基板でも良いし、ALIVH（Any Layer Inner Via Hole）（登録商標）などの多層基板であっても良い。
【００１３】
第２絶縁層１６は、例えば、エポキシ樹脂、フェノール樹脂またはシアネート樹脂からなる。この第２絶縁層１６の製造方法は、例えば、炭素繊維、アラミド繊維、又はガラス繊維などの繊維に各種の樹脂を含浸させたシート状のプリプレグを、フィルタ１９と受信回路２１とを内蔵するための空間を設けながら第１絶縁層１５の上に複数重ね、このプリプレグを上下から加圧すると共に加熱する。このとき、上記シート状のプリプレグに含浸された樹脂がこの空間に入り込むことによって、第２絶縁層１６内にフィルタ１９と受信回路２１とが内蔵される。
【００１４】
フィルタ１９は、例えば、表面弾性波フィルタ、ＬＴＣＣフィルタ、又はディスクリートフィルタからなる。このフィルタ１９は、例えば、入力端子１７からの入力信号のうち、希望周波数帯以外の周波数帯の信号を除去するバンドパスフィルタ、希望周波数帯より低周波数の信号を除去するハイパスフィルタ、希望周波数帯より高周波数の信号を除去するローパスフィルタ、又は所定の周波数の信号のみを除去するノッチフィルタである。
【００１５】
受信回路２１は、例えば、半導体チップであり、入力端子１７側から順に接続された、増幅器、混合器、中間周波フィルタ等を有する。
【００１６】
上記構成により、受信装置１２において、フィルタ１９と、フィルタ１９の出力信号が通過する信号線２０とがグランド板１４によって覆われるので、ノイズが除去されたフィルタ１９の出力信号に受信装置１２の外部からのノイズが混入することを抑制することができ、その結果、受信装置１２の受信品質を高めることができる。
【００１７】
また、受信回路２１と比較して比較的厚みの大きいフィルタ１９を絶縁層１３の内部に配置することによって、従来の構成と比較してフィルタ１９が第１絶縁層１５から外れにくくなり、第１絶縁層１５の導電性パターンと受信回路２１との接続信頼性を高めることができる。
【００１８】
尚、入力端子１７を絶縁層１３の側面に設けても良いが、入力端子１７を絶縁層１３の底面に設けることにより、入力端子１７がグランド板１４に覆われ、その結果、入力端子１７に受信装置１２の外部からのノイズが混入されることを抑制することができる。
【００１９】
（実施の形態２）
以下、本発明の実施の形態２について、図２を用いて説明する。図２は、本発明の実施の形態２における受信装置の概略断面図である。実施の形態１と同様の構成については、同一の符号を用いてその説明を省略し、相違点について詳述する。
【００２０】
図２において、受信装置１２は、絶縁層１６の内部であって受信回路２１の上又は下に重畳されると共に受信回路２１の出力側に接続された復調回路２４を有する。例えば、この復調回路２４は、受信回路２１の上に配置された単層基板又は多層基板からなる第３絶縁層２５の上に設けられ、受信回路２１と復調回路２４とはビア２６を介して接続されている。また、復調回路２４と出力端子２３とは、ビア２７を介して接続されている。
【００２１】
一般的に、フィルタ１９は受信回路２１及び復調回路２４と比較して厚みが大きいので、受信回路２１の上部のデッドスペースに復調回路２４を配置させることにより、受信装置１２の小型化を図ることができる。
【００２２】
さらに、図２に示す様に、受信装置１２は、受信回路２１と復調回路２４との間に配置された第２グランド板２８を有しても良い。これにより、受信回路２１と復調回路２４とのアイソレーションを向上させることができる。
【産業上の利用可能性】
【００２３】
本発明の受信装置１２は、受信装置１２の受信品質を向上させることができ、ＴＶ機能付携帯端末や、車載用受信装置などの電子機器に特に有用である。
【図面の簡単な説明】
【００２４】
【図１】本発明の実施の形態１における受信装置の概略断面図
【図２】同受信装置の概略断面図
【図３】従来の受信装置の概略断面図
【符号の説明】
【００２５】
１２  受信装置
１３  絶縁層
１４  グランド板
１５  第１絶縁層
１６  第２絶縁層
１７  入力端子
１８，２２，２６，２７  ビア
１９  フィルタ
２０  信号線
２１  受信回路
２３  出力端子
２４  復調回路
２５  第３絶縁層
２８  第２グランド板
【図１】
2008172557.tif 000003
【図２】
2008172557.tif 000004
【図３】
2008172557.tif 000005